(57)【要約】      （修正有）【課題】見た目の本物感を格段に向上しながら、商品サンプルのコストを大幅に削減して、実物商品のメーカーが負担する展示コストを削減できる商品サンプルを提供する。【解決手段】シート基材の表面に実物商品の印刷画像５が印刷してあるサンプル本体１と、該サンプル本体１を収容する実物商品用の包装体とを備えている。サンプル本体１に印刷される実物商品の印刷画像５は、質感および立体感を忠実に再現する特殊スキャナーで取込んだ実物商品の画像データを使用して印刷する。サンプル本体１は、シート基材の印刷画像５を打抜いて形成され、対向する周縁に複数の連結片１０が設けてある。対応する連結片１０を連結することにより、サンプル本体１を印刷画像５の側が外突状に湾曲する状態で保形する。【選択図】図１
0003173896.tif 000002
【実用新案登録請求の範囲】
【請求項１】
シート基材（４）の表面に実物商品の印刷画像（５）が形成してあるサンプル本体（１）と、サンプル本体（１）を収容する実物商品用の包装体（２）とを含み、
シート基材（４）に印刷された印刷画像（５）は、質感および立体感を忠実に再現する特殊スキャナーで取込んだ実物商品の画像データを使用して印刷されており、
サンプル本体（１）は、シート基材（４）の印刷画像（５）を打抜いて形成されて、対向する周縁に複数の連結片（１０）を備えており、
対応する連結片（１０）を連結することにより、サンプル本体（１）を印刷画像（５）の側が外突状に湾曲する状態で保形してある商品サンプル。
【請求項２】
連結片（１０）が形成される周縁に隣接する、サンプル本体（１）の端縁の少なくともいずれか一方に、サンプル本体（１）の裏面側へ向かって折曲がる端部片（１３）が形成してある請求項１に記載の商品サンプル。
【請求項３】
サンプル本体（１）と、サンプル本体（１）が固定される背景台紙（３）と、包装体（２）とで構成されており、
包装体（２）を構成する箱本体（２ａ）の上面に背景台紙（３）が配置され、その外面が透明の内カバー（２ｃ）で覆ってある請求項１又は２に記載の商品サンプル。
【請求項４】
前記連結片（１０）が、サンプル本体（１）と一体に形成されて、各連結片（１０）のそれぞれに、互いに係合して一対の連結片（１０）の連結状態を保持する連結溝（１１）が形成されており、
両連結片（１０）を連結溝（１１）を介して互いに差込み係合することにより、サンプル本体（１）を湾曲姿勢に保形できる請求項１から３のいずれかひとつに記載の商品サンプル。
【請求項５】
シート基材（４）に印刷した印刷画像（５）の外面に、光沢面と光沢のない凹凸面を形成するための擬似エンボス加工が施してある請求項１から４のいずれかひとつに記載の商品サンプル。
【請求項６】
複数種の実物商品を模した複数種のサンプル本体（１）と、サイズおよび構造が異なる複数種の包装体（２）を設けておき、
複数種のサンプル本体（１）の組合わせと、包装体（２）との組合わせを異ならせて、展示場ごとに商品サンプルの展示内容を変更できる請求項１から５のいずれかひとつに記載の商品サンプル。
【考案の詳細な説明】
【技術分野】
【０００１】
本考案は、例えばハム、ソーセージ、乾麺、瓶詰め商品などの食品を模して形成される商品サンプルに関する。
【背景技術】
【０００２】
商品サンプルとして、実物商品の立体的な外観および色彩などを忠実に再現した食品サンプルがよく知られており、この種のサンプルは和食、洋食、中華料理などを提供する店舗の店頭に調理例として展示されることが多い。この種の食品サンプルは、年間を通じて各店舗で提供する主な料理に対応して用意されることが多く、季節ごとに、あるいはイベント時にのみ臨時に提供される料理に関して食品サンプルが用意されることは少ない。
【０００３】
中元、歳暮などの贈答用商品として、例えばハム、ソーセージ、乾麺などの保存食品がある。これらの贈答食品のサンプルは、実物商品はもちろんであるが、包装形態も見てもらう必要上、化粧箱（包装材）も同時に展示することが多い。このように実物商品を使用した商品サンプルは、実物商品のメーカーが負担することが多く、年間を通じて提供される展示用の実物商品数はかなりの量となる。また、商品サンプルとして展示された実物商品は、保存食品であるにも拘らず、展示期間が終了したからといって一般の消費者に対して販売することはできない。そのため、メーカーが負担する展示用商品のコストは多大なものとなっていた。さらに、実物商品が無駄となりエコロジーの精神にそぐわない点で問題があった。
【０００４】
実物商品を使用しない展示形態を採ることは可能であり、例えば、包装箱に実物商品を詰合わせて写真を撮影し、撮影画像を平板状の厚紙に印刷して、化粧箱とともに商品サンプルとして展示することが行われている。しかし、この種の商品サンプルは、立体感に欠け本物感が得られにくい。こうした本物感の乏しさを補うために、レリーフ状に立体化した商品サンプル（以下、この種の商品サンプルをレリーフ構造の商品サンプルと言う。）が使用されている。例えば特許文献１においては、プレス加工によって樋体状に立体化されたシート材の表面に、実物商品（飲料容器）と同じ印刷を施した商品サンプルが開示されている。
【０００５】
特許文献２の立体サンプルにおいては、プラスチックシートに野菜、あるいは調理前の食材などの外形および色を模したカラー印刷を施し、各食材ごとにプラスチックシートを金型で押圧して立体化し、シート表面にレリーフ状の凹凸を形成している。この立体サンプルは、冷蔵庫の冷蔵室、冷凍室、あるいは野菜室などに収容されて、冷蔵庫の購入予定者に対して使用イメージを例示するために使用される。この種の商品サンプルは、特許文献３の弁当サンプルにも見ることができる。
【０００６】
本発明に係る商品サンプルは、例えば贈答用に箱詰めされたブロックハム、あるいはスライスハムなどを模して形成されるが、ハムを模した商品サンプルは特許文献４に見ることができる。そこでは、ペースト状の樹脂を金型に流し込んで形成した成形体と、成形体の表面に貼付けられるフィルムとで、スライスハムの商品サンプルを構成している。成形体の表面には、複数枚のスライスハムを少しずつ位置をずらした状態で重ねた凹凸構造が再現されている。また、フィルムには、実物のスライスハムと同様の外形、色彩、光沢を再現した絵柄がプリントしてある。
【先行技術文献】
【特許文献】
【０００７】
【特許文献１】特開２００２−１５７６３７号公報（段落番号００２０、図１）
【特許文献２】特開２００３−０８４６７５号公報（段落番号００１８、図２）
【特許文献３】特開２００３−２２３１０７号公報（段落番号００２７、図６）
【特許文献４】特開２００９−１９８９２９号公報（段落番号００２０〜００２２、図６）
【考案の概要】
【考案が解決しようとする課題】
【０００８】
食品サンプルは、実物の調理食品の立体的な外観および色合いなどを忠実に再現できる点で優れており、その本物感は他の商品サンプルに比べて群を抜いて高い。しかし、食品サンプルの製作には時間とコストが掛かるため、展示内容を頻繁に変更するような用途には適さない。その点、特許文献１、２、３のレリーフ構造の商品サンプルは、印刷処理と簡単な金型加工を行うだけで商品サンプルを形成できるので、展示内容を頻繁に変更する場合にも迅速に対応できる。問題は、印刷のための基本データをカメラで取込むため、高度の印刷処理を行なったとしても、食品などの本物感、および立体感を忠実に再現するのが難しく、その適用範囲が飲料容器などの自動販売機用の商品サンプルや、冷蔵庫の使用イメージを表示する立体サンプルなどに限られる。
【０００９】
その点、特許文献４の商品サンプルは、立体感に富み実物商品に近い印象を発揮できる。しかし、金型を用いて形成される成形体と、成形体の表面に貼付けられるフィルムとで商品サンプルを構成するので、その製作に食品サンプルほどの時間とコストが掛かる訳ではないものの、レリーフ構造の商品サンプルに比べると成形体の分だけコストが嵩む。さらに、商品サンプルの変更や追加などに迅速に対応できにくい不利もある。
【００１０】
上記のような理由で、レリーフ構造の商品サンプルが、本物感や高級感が要求される贈答用品の商品サンプルとして使用されることは稀で、贈答用品を生産するメーカーにとって、商品サンプルを提供するためのコストが大きな負担となっていた。本考案者等は、実物商品を使用した商品サンプルには及ばないとしても、見た目の本物感と立体感とを向上して高級感を醸すことができ、しかもコストを大幅に削減できる商品サンプルを実現するために、従来の商品サンプルの問題点を検討し試行錯誤を重ねた。
【００１１】
その結果、カメラで撮影した映像を印刷原稿として使用する点に、技術的な限界があることに気付いた。実物商品をカメラで撮影する場合には、例えば実物商品の表面部分にピントを合わせるが、そうした場合に、実物商品の表面部分から離れた部位のピントがぼやけてしまい、本物感および立体感を発揮できなくなるのである。とくに、ブロックハムのように撮影時の奥行き寸法が大きな実物商品の場合には、実物商品の表面の全ての部分においてピントをシャープに合わせて、画像の解像度を高めることが困難となる。
【００１２】
本考案の目的は、カメラで撮影した画像を印刷原稿とする場合に比べて、見た目の本物感と立体感を格段に向上しながら、商品サンプルのコストを大幅に削減して展示コストを削減できる商品サンプルを提供することにある。
本考案の目的は、食品サンプルなどの商品サンプルに比べて低コストであり、商品サンプルの変更や追加などに迅速に対応できるレリーフ構造の商品サンプルを提供することにある。
【課題を解決するための手段】
【００１３】
本考案に係る商品サンプルは、シート基材４の表面に実物商品の印刷画像５が形成してあるサンプル本体１と、サンプル本体１を収容する実物商品用の包装体２とを含む。シート基材４に印刷された印刷画像５は、質感および立体感を忠実に再現する特殊スキャナーで取込んだ実物商品の画像データを使用して印刷する。サンプル本体１は、シート基材４の印刷画像５を打抜いて形成され、対向する周縁に複数の連結片１０を備えている。対応する連結片１０を連結することにより、サンプル本体１を印刷画像５の側が外突状に湾曲する状態で保形してあることを特徴とする。
【００１４】
連結片１０が形成される周縁に隣接する、サンプル本体１の端縁の少なくともいずれか一方に、サンプル本体１の裏面側へ向かって折曲がる端部片１３を形成する。
【００１５】
商品サンプルは、サンプル本体１と、サンプル本体１が固定される背景台紙３と、包装体２とで構成する。包装体２を構成する箱本体２ａの上面に背景台紙３を配置し、その外面を透明の内カバー２ｃで覆う。
【００１６】
連結片１０はサンプル本体１と一体に形成する。各連結片１０のそれぞれには、互いに係合して一対の連結片１０の連結状態を保持する連結溝１１を形成する。両連結片１０を連結溝１１を介して互いに差込み係合することにより、サンプル本体１を湾曲姿勢に保形できるようにする。
【００１７】
シート基材４に印刷した印刷画像５の外面に、光沢面と光沢のない凹凸面を形成するための擬似エンボス加工を施す。
【００１８】
複数種の実物商品を模した複数種のサンプル本体１と、サイズおよび構造が異なる複数種の包装体２を設けておく。複数種のサンプル本体１の組合わせと、包装体２との組合わせを異ならせることにより、展示場ごとに商品サンプルの展示内容を変更できるようにする。
【考案の効果】
【００１９】
本考案においては、実物商品の印刷画像５が形成してあるサンプル本体１と、サンプル本体１を収容する実物商品用の包装体２などで商品サンプルを構成するので、商品サンプルのコストを大幅に削減して、実物商品を製造するメーカーが負担する展示コストを著しく削減できる。また、質感および立体感を忠実に再現する特殊スキャナーで取込んだ実物商品の画像データを基に印刷画像５を印刷するので、カメラで撮影した画像を印刷原稿とする場合に比べて、実物商品の表面の全ての部分においてピントをシャープに合わせた状態で撮像でき、実物商品の画像データの解像度を向上し、印刷画像５の立体感を格段に向上できる。
【００２０】
さらに、サンプル本体１に設けた連結片１０を連結することにより、サンプル本体１を外突湾曲状に保形した状態で展示するので、サンプル本体１の立体感をさらに強調して本物感を向上できる。加えて、本考案の商品サンプルは、特殊スキャナーによる撮像、印刷、打抜きなどの加工を行うだけでサンプル本体１を形成できるので、食品サンプルを製作する場合に比べて、商品サンプルを迅速にしかも低コストで形成でき、従って、商品サンプルの変更や追加などに迅速に対応できる。
【００２１】
サンプル本体１の端縁に端部片１３を折曲形成した商品サンプルによれば、サンプル本体１の湾曲面と、サンプル本体１の載置面との間の隙間を端部片１３で遮蔽でき、さらに、サンプル本体１の端縁部において切断面が視認されるのを防止できる。従って、サンプル本体１の全体が印刷画像５の側へ向かって外突状に湾曲してあることと相俟って、商品サンプルの立体感をさらに強調して本物感を向上できる。
【００２２】
箱本体２ａの上面に、サンプル本体１が固定してある背景台紙３を配置し、その外面を透明の内カバー２ｃで覆う商品サンプルによれば、内カバー２ｃを介してサンプル本体１を視認することになる。そのため、内カバー２ｃの透明感や、カバー表面における光の反射効果、およびサンプル本体１における光の反射効果を同時に発揮させ、さらに背景台紙３による実物商品に近い化粧効果を発揮できるので、従来の商品サンプルに比べて本物感をさらに向上し高級感を醸すことができる。
【００２３】
連結片１０をサンプル本体１と一体に形成すると、連結片１０を独立して形成する場合に比べて、連結片１０を備えたサンプル本体１をより少ないコストで形成できる。また、連結片１０のそれぞれに連結溝１１を形成しておくことにより、連結片１０を粘着テープやステープラーで固定する場合に比べて、より少ない手間で連結片１０を連結できる。さらに、連結片１０がサンプル本体１と一体化してあるので、多数個のサンプル本体１を展開した状態で発送するような場合に、連結片１０の数が不足し、あるいはサンプル本体１の間に紛れ込むような不具合を一掃できる。
【００２４】
印刷画像５の外面に、光沢面と光沢のない凹凸面を形成するための擬似エンボス加工を施したサンプル本体１によれば、光沢のない凹凸面によって印刷画像５の外面の質感をさらにリアルに表現して、凹凸のある実物商品の表面の状態を忠実に再現することができる。
【００２５】
予め、複数種のサンプル本体１と、サイズおよび構造が異なる包装体２を用意しておけば、展示場ごとに商品サンプルの展示内容を容易に変更することができる。従って、地方によって商品サンプルの展示内容が大きく異なる場合でも問題なく対応できるうえ、商品サンプルの変更や追加にも迅速に対応できる。
【図面の簡単な説明】
【００２６】
【図１】本考案に係るサンプル本体を展開した状態の平面図である。
【図２】本考案に係る商品サンプルの分解斜視図である。
【図３】本考案に係るサンプル本体を立体化した状態の平面図である。
【図４】図３におけるＡ−Ａ線断面図である。
【図５】本考案に係るサンプル本体を包装体に収納した状態の平面図である。
【図６】図５におけるＢ−Ｂ線断面図である。
【図７】サンプル本体の形成過程を示す説明図である。
【図８】別の実施例に係る商品サンプルを示す平面図である。
【図９】図８におけるＣ−Ｃ線断面図である。
【図１０】さらに別の実施例に係る商品サンプルを示す平面図である。
【図１１】図１０におけるＤ−Ｄ線断面図である。
【図１２】図１０の商品サンプルを包装体に収納した状態の断面図である。
【考案を実施するための形態】
【００２７】
（実施例）  図１ないし図７は本考案に係る商品サンプルの実施例を示す。図２において商品サンプルは、レリーフ構造のサンプル本体１と、サンプル本体１を収容する実物商品用の包装体２と、包装体２の開口面に配置される背景台紙３などで構成してある。サンプル本体１は、シート基材４の表面に実物商品の画像を印刷し、必要に応じて印刷画像５に擬似エンボス加工を施して形成してある。シート基材４としては、紙、合成紙、プラスチックシート、金属薄板などを適用することができるが、コスト面で、紙、またはプラスチックシートを使用することが好ましい。
【００２８】
サンプル本体１は、実物商品の印刷画像５の外郭線に一致する状態で切断されており、その対向する周縁の２個所には、帯状の連結片１０がサンプル本体１と一体に設けてある。一対の連結片１０には、それぞれ連結溝１１が形成してあり、これらの連結溝１１どうしを互いに掛止することにより、両連結片１０を連結状態に保持して、サンプル本体１をその表面が一対の連結片１０の間で外突状に湾曲する姿勢に保持できる（図４参照）。図１に示すように、片方の連結片１０において、その下縁側を始端にして連結溝１１が形成してある場合には、他方の連結片１０においては、その上縁側を始端にして連結溝１１が形成してある。連結溝１１の溝長さは、連結片１０の幅寸法の半分の長さに形成する。
【００２９】
サンプル本体１は、図７に示す各過程を経て形成する。まず、実物商品の画像を質感および立体感を忠実に再現する特殊スキャナーで取込む。次に、特殊スキャナーの画像データの色調を補正するなど、画像データを加工した後、補正された画像データに基づき、印刷画像５の一群をシート基材４に対して高精細精度の印刷が可能な印刷機で印刷する。同時に、印刷画像５の表面に紫外線の照射によって硬化するＵＶクリアニス（紫外線硬化型インキ）、および油性ニス（紫外線硬化型ニス）をコーティングして擬似エンボス加工を施す。ＵＶクリアニスで覆われた印刷画像５の表面は、透明なフィルムをラミネートした場合と同様に光沢面とすることができる。また、擬似エンボス加工を施すことにより、油性ニスが塗布された印刷画像５の表面を、光沢のない凹凸面として、ざらざら感やつぶつぶ感などの質感を強調することができる。光沢のない凹凸面を符号６で示している。得られた印刷済みのシート基材４にトムソン加工を施して、印刷された印刷画像５の外郭線と連結片１０を含む形状の多数個のサンプル本体１を切断する。このとき、一対の連結片１０を切断するのと同時に連結溝１１が形成される。
【００３０】
実物商品の画像を取込む特殊スキャナーとしては、日本製図器工業株式会社のクルーズリアルスキャナー、あるいは特許第４３７３４９２号公報に開示されているマルチアングルスキャナーなどを使用することができる。特殊スキャナーにおいては、実物商品とスキャナーの読取りヘッドのいずれか一方を他方に対して傾斜させ、印影を強調した状態で、読取りヘッドに設けたラインＣＣＤで画像を取込む。その際に、実物商品の表面の変化に追随して焦点位置を自動的に調整しながら、画像を取込むことができる。従って、実物商品をカメラで撮影する場合とは異なり、実物商品の表面の全ての部分においてピントをシャープに合わせた状態で撮像でき、実物商品の画像データの解像度を向上でき、さらに印刷画像５の立体感を向上し、凹凸のある実物商品の表面の状態を忠実に再現できる。
【００３１】
図２および図６に示すように、包装体２は、実物商品を収納するための化粧箱からなり、紙製の箱本体２ａおよび蓋体２ｂと、透明なプラスチックシートで形成した内カバー２ｃとで構成してある。また、背景台紙３は、実物商品を収納する化粧箱の内部に配置した化粧生地の画像を、上記の特殊スキャナーで取込み、その画像データに色調補正等を行ったのち、シート材に高精細精度の印刷を施して形成してある。つまり、背景台紙３には、箱本体２ａの内部における化粧生地の皺や凹凸、あるいは生地の色および質感が忠実に印刷してある。
【００３２】
商品サンプルを組み立てる場合には、実物商品の展示内容に合致する包装体２、背景台紙３、および複数個のサンプル本体１を用意し、各サンプル本体１の連結片１０を連結して立体化しておく。詳しくは、図４に示すように、一対の連結片１０を印刷画像５の外郭線に沿って裏面側へ折込み、両連結片１０の連結溝１１を互いに連結して、サンプル本体１の表面を一対の連結片１０の間で外突状に湾曲させて、レリーフ構造のサンプル本体１を形成する。
【００３３】
次に図５および図６に示すように、各サンプル本体１を両面テープ１２を介して背景台紙３に体裁よく貼付ける。両面テープ１２は予め連結片１０に貼付けておくか、背景台紙３の所定の位置に貼付けておくとよい。この状態の背景台紙３を箱本体２ａの上面に載置し、箱本体２ａの底側に蓋体２ｂを被せ付け、さらに、箱本体２ａの上面側に内カバー２ｃを装着することにより商品サンプルを完成できる。箱本体２ａに組付けた内カバー２ｃの下縁は、箱本体２ａと蓋体２ｂとの間に差込まれて、箱本体２ａで支持された背景台紙３が遊動するのを規制する（図６参照）。
【００３４】
サンプル本体１は、ロースハム、ボンレスハムなどの素材の違い、スライスハム、ブロックハムなどの商品形態の違い、ソーセージ、ベーコン、焼豚などの商品の種類の違いなど、複数種の実物商品に対応して多種類のサンプル本体１が用意される。また、包装体２および背景台紙３も、そのサイズや構造が実物商品の組合わせの違いなどに応じて複数種が用意してある。従って、多種類の実物商品の組合わせに対応して、複数のサンプル本体１を適合する包装体２に収容することにより、多種類の実物商品に対応した商品サンプルを容易に構成することができる。
【００３５】
上記のようにして得られる商品サンプルの全体コストは、複数のサンプル本体１のコストと、包装体２、および背景台紙３のコストだけであるので、実物商品を包装体２とともに展示していた従来の商品サンプルに比べて、商品サンプルのコストを大幅に減少できる。また、各地方あるいは各展示場ごとに商品サンプルの展示内容が異なる場合でも、包装体２に収容すべきサンプル本体１の組合わせを変更するだけで、迅速に対応することができる。
【００３６】
上記の実施例では、商品サンプルが、ハムおよびソーセージ等の食肉加工品である場合について説明したが、食肉加工品以外の商品を模して商品サンプルを形成することができる。例えば、図８に示すように、そうめん、うどんなどを丸棒状に束ねた乾麺を模してサンプル本体１を形成することができる。その場合には、図９に示すように、サンプル本体１を断面優弧状に湾曲させた状態で展示することにより、細部にわたって精密な印刷画像５を再現して、カメラで撮影した映像を印刷原稿として使用する場合に比べて、商品サンプルの見た目の本物感を格段に向上することができる。この実施例においては、サンプル本体１が実物商品とおなじ程度の立体寸法に形成されるので、サンプル本体１を箱本体２ａの内部に詰めて展示に供される。そのため、背景台紙３は省略してある。この実施例から理解できるように、商品サンプルは、実物商品と同様に箱本体２ａの内部に収納した状態で展示することができる。
【００３７】
図１０ないし図１２は、商品サンプルのさらに別の実施例を示す。そこでは、連結片１０が形成された周縁に隣接する、サンプル本体１の端縁部に、サンプル本体１の裏面側へ向かって折れ曲がる端部片１３を形成して、サンプル本体１の立体感をさらに強調できるようにした。符号１４は端部片１３の折曲線を示す。このように、サンプル本体１の端縁部に端部片１３を設けると、図１２に示すように、サンプル本体１の湾曲面と背景台紙３との間の隙間を端部片１３で遮蔽でき、さらに、サンプル本体１の端縁部において切断面が視認されるのを防止して立体感を強調できる。
【００３８】
端部片１３は、ブロックハムのように、実物商品において載置面からの突出寸法が大きな商品に適用するのが好ましいが、必要があればスライスハムのように扁平な商品に設けることもできる。なお、この実施例では、購買者と対向する側のサンプル本体１の端縁部に限って端部片１３を設けるようにしたが、連結片１０側の周縁に隣接する一対の端縁部のそれぞれに端部片１３が設けてあってもよい。折曲線１４は彎曲線である必要はなく、例えば波線状の凹凸線であってもよい。
【００３９】
上記以外の商品サンプルとしては、辛子明太子、辛子蓮根、昆布巻き食品、スライスされて真空パックされた千枚漬、コーヒーの詰め合わせ、飲料の詰め合わせ、瓶詰めされたケチャップ、ドレッシングなど、各種の食品を模したものであってもよい。実物商品によっては、擬似エンボス加工を施さずに、サンプル本体１の印刷画像５の側にクリアニスのみを塗布して、全面を光沢面にする場合がある。また、包装された実物商品の表面には、商品名、会社名、商品特性などが印刷されたラベルを貼り付けていることが多いが、この種の実物商品用のラベルをサンプル本体１の湾曲表面に貼付けて、本物感を強調することができる。実物商品がトレーに盛り付けられた状態で真空パックしてあるような場合には、真空パックの外郭線に沿って印刷画像５を切断してサンプル本体１を形成するとよい。
【００４０】
連結片１０がサンプル本体１とは別体に形成してある場合には、連結片１０の一端を糊、あるいは接着剤でサンプル本体１の裏面側に接着してもよい。サンプル本体１が例えば長方形状に長い場合には、その長辺部の２個所以上に連結片１０を設けて、サンプル本体１の湾曲形状を維持することができる。一対の連結片１０は、連結溝１１どうしを係合して連結する必要はなく、重ね合わせた連結片１０を粘着テープや両面テープで固定し、あるいはステープラーで固定することができる。必要があれば、凸字状の連結穴と、同穴の幅狭部分に掛止する舌片とで一対の連結片１０を固定することができる。背景台紙３は浅い角皿状に形成することができ、その場合には、サンプル本体１の一部が箱本体２の内部に入込む状態で展示できる。
【符号の説明】
【００４１】
１  サンプル本体
２  包装体
３  背景台紙
４  シート基材
５  印刷画像
６  光沢のない凹凸面
１０  連結片
１１  連結溝
【図１】
0003173896.tif 000003
【図２】
0003173896.tif 000004
【図３】
0003173896.tif 000005
【図４】
0003173896.tif 000006
【図５】
0003173896.tif 000007
【図６】
0003173896.tif 000008
【図７】
0003173896.tif 000009
【図８】
0003173896.tif 000010
【図９】
0003173896.tif 000011
【図１０】
0003173896.tif 000012
【図１１】
0003173896.tif 000013
【図１２】
0003173896.tif 000014